(57)【特許請求の範囲】
【請求項１】
同期的に昇降する機能の一対の昇降脚によってテーブル板を支持してなり、前記一対の昇降脚のうちのいずれかに昇降脚の昇降動作を拘束したり拘束解除する昇降補助手段を設け、この昇降補助手段に昇降補助手段の拘束作用を解除する拘束解除作動部材を近接させ、この拘束解除作動部材を作動させる解除操作手段を、前記昇降補助手段を配置した昇降脚の頂部側に配置する一方、前記昇降補助手段を配置しない昇降脚の頂部側に配置し、この昇降補助手段を配置しない側の解除操作手段と、前記拘束解除作動部材とを、拘束解除作動部材のみを動作させて前記昇降補助手段を拘束解除する連結構成としたことを特徴とするテーブル装置における昇降脚の昇降動作の拘束解除操作機構。
【請求項２】
前記拘束解除作動部材は、昇降補助手段を配置した昇降脚頂部側の解除操作手段と、同軸的に回動可能に取り付けて前記解除操作手段の操作により連動可能とする一方、前記昇降補助手段を配置しない昇降脚頂部側の解除操作手段と連動可能に連結し、前記昇降補助手段を配置しない昇降脚頂部側の解除操作手段の操作で前記拘束解除作動部材のみを連動させる構成としたことを特徴とする請求項１記載のテーブル装置における昇降脚の昇降動作の拘束解除操作機構。
【請求項３】
前記昇降補助手段を配置しない昇降脚頂部側の解除操作手段と、前記拘束解除作動部材とを、線状部材によって連結したことを特徴とする請求項１または２記載のテーブル装置における昇降脚の昇降動作の拘束解除操作機構。
【請求項４】
前記昇降補助手段は、ガススプリングであることを特徴とする請求項１ないし３記載のうち、いずれか１記載のテーブル装置における昇降脚の昇降動作の拘束解除操作機構。
【発明の詳細な説明】
【０００１】
【発明の属する技術分野】
本発明は、昇降脚を有するテーブル装置の昇降脚の昇降動作を拘束したり拘束解除したりする昇降補助手段を操作する、昇降脚の昇降動作の拘束解除操作機構に関し、特に、ベッドのボトム上方に跨ぐようにもたらして使う、昇降脚を有するオーバーベッドテーブルに好適な、テーブル装置における昇降脚の昇降動作の拘束解除操作機構に関するものである。
【０００２】
【従来の技術】
従来より、病院においても家庭内においても、ベッドのボトム上方に跨ぐようにもたらして使う、オーバーベッドテーブルがある。
かかるオーバーベッドテーブルとしては、特開平７−２６５１３４号公報で開示されるような折り畳み機能を備えた昇降脚を有するものが提案されている。
すなわちこのオーバーベッドテーブルでは、テーブル板長手両側に、ロック解除操作レバーを配置し、一方の昇降脚に内蔵した昇降補助手段であるガススプリングをロック解除させる操作を、どちらのロック解除操作レバーからでも可能として、昇降脚を伸縮させてテーブル板の支持高さを調節するようにしている。
【０００３】
【発明が解決しようとする課題】
しかしながら、前記提案されているオーバーベッドテーブルにおいて、ガススプリングをロック解除操作する際、片方のロック解除操作レバーを操作すると、他方のロック解除操作レバーも連動する機構であるので、それだけ大きな操作力が必要となる。また、操作していない方のロック解除操作レバーが連動することで、物や手を挟み込んだりするおそれがある。
本発明は、このような不都合を改善するべく提案されたものであって、昇降脚の昇降動作を拘束したり拘束解除する昇降補助手段を操作する際、双方の解除操作手段によって前記昇降補助手段を操作可能とする一方、前記双方の解除操作手段自体は互いに連動することのないようにして、操作力の軽減化と共に、物や手の挟み込みなどの不都合をなくした、テーブル装置における昇降脚の昇降動作の拘束解除操作機構を提供することを目的とする。
【０００４】
【課題を解決するための手段】
前記した課題を解決するために、本発明では、請求項１において、同期的に昇降する機能の一対の昇降脚によってテーブル板を支持してなり、前記一対の昇降脚のうちのいずれかに昇降脚の昇降動作を拘束したり拘束解除する昇降補助手段を設け、この昇降補助手段に昇降補助手段の拘束作用を解除する拘束解除作動部材を近接させ、この拘束解除作動部材を作動させる解除操作手段を、前記昇降補助手段を配置した昇降脚の頂部側に配置する一方、前記昇降補助手段を配置しない昇降脚の頂部側に配置し、この昇降補助手段を配置しない側の解除操作手段と、前記拘束解除作動部材とを、拘束解除作動部材のみを動作させて前記昇降補助手段を拘束解除する連結構成としたテーブル装置における昇降脚の昇降動作の拘束解除操作機構を提案する。
また本発明では、請求項２において、前記拘束解除作動部材は、昇降補助手段を配置した昇降脚頂部側の解除操作手段と、同軸的に回動可能に取り付けて前記解除操作手段の操作により連動可能とする一方、前記昇降補助手段を配置しない昇降脚頂部側の解除操作手段と連動可能に連結し、前記昇降補助手段を配置しない昇降脚頂部側の解除操作手段の操作で前記拘束解除作動部材のみを連動させる構成としたテーブル装置における昇降脚の昇降動作の拘束解除操作機構を提案する。
また本発明では、請求項３において、前記昇降補助手段を配置しない昇降脚頂部側の解除操作手段と、前記拘束解除作動部材とを、線状部材によって連結したテーブル装置における昇降脚の昇降動作の拘束解除操作機構を提案する。
さらに本発明では、請求項４において、前記昇降補助手段は、ガススプリングであるテーブル装置における昇降脚の昇降動作の拘束解除操作機構を提案する。
【０００５】
請求項１によれば、いずれかの解除操作手段を操作することで、昇降補助手段に近接させた拘束解除作動部材が作動し、前記昇降補助手段は拘束解除され、自由に昇降脚を昇降させて、テーブル板を所望の位置にもたらし、解除操作手段の操作を停止することで、再び昇降補助手段を拘束させ、前記テーブル板をその位置で保持することができる。
その際、昇降補助手段を配置しない側の解除操作手段を操作すると、拘束解除作動部材のみが動作して、昇降補助手段を拘束解除することができる。
【０００６】
請求項２によれば、昇降補助手段を配置した昇降脚頂部側の解除操作手段を操作すると、同軸的に取り付けられた拘束解除作動部材は連動して昇降補助手段を拘束解除することができる。
一方、昇降補助手段を配置しない側の解除操作手段を操作すると、拘束解除作動部材のみが動作して、昇降補助手段を拘束解除することができるので、操作力を軽減することができる。
【０００７】
請求項３によれば、昇降補助手段を配置しない側の解除操作手段を操作すると、線状部材を介して昇降補助手段に近接した拘束解除作動部材のみを動かし、昇降補助手段を拘束解除することができる。
【０００８】
請求項４によれば、ガススプリングの昇降位置保持機能は、解除操作手段により拘束解除作動部材を介して解除され、ガススプリングは、適度な緩衝速度で自由伸縮動作を行なうことができ、解除操作手段を操作前に戻せば、再びガススプリングは、昇降位置保持機能を発揮し、テーブル板をその高さ位置で保持することができる。
【０００９】
【発明の実施の形態】
以下、本発明にかかるテーブル装置における昇降脚の昇降動作の拘束解除操作機構につき、オーバーベッドテーブルの一つの実施の形態を示し、添付の図面に基づいて説明する。
図１にオーバーベッドテーブル１を示し、このオーバーベッドテーブル１は、一対の昇降脚２，２によってテーブル板受具３を介してテーブル板４を支持する構成としている。
前記一対の昇降脚２，２は、双方の昇降脚２，２を、同期的に昇降させる昇降同期手段（後述）を具備すると共に、昇降補助手段５をいずれか一方の昇降脚２に備え、前記テーブル板４の両端寄りのテーブル板受具３の昇降脚取付基部６に、前記昇降補助手段５を拘束解除操作するための解除操作手段７，７をそれぞれ配置している。
【００１０】
前記一対の昇降脚２，２は、基端側にキャスタＣを介して床面に接地する基部フレーム８を取り付けた第１の脚杆９に対して第２の脚杆１０を、昇降ガイドユニット（図示省略）を介して進退自在に構成している。
そして前記第２脚杆１０頂部側を、第２脚杆１０側に固設した頂部金具１０ｔを介し、前記テーブル板受具３の昇降脚取付基部６に設けた傾斜長穴１１に挿通した支軸１２に取り付け、この支軸１２を中心として折り畳み可能としている。
【００１１】
次に、以上のような一対の昇降脚２，２を同期的に昇降させる昇降同期手段には、周知の構成のものを用いている（図２参照）。すなわち、前記昇降脚取付基部６における支軸１２を回転軸とする上部プーリ１３と第２脚杆１０下端側内面に軸着した下部プーリ１４とこれら上部プーリ１３と下部プーリ１４との間に線状部材１５を掛け渡して、線状部材１５の末端側を前記第１脚杆９頂部側に固定した構成としている。こうすることで、前記昇降補助手段５の拘束解除状態において一方の昇降脚２の昇降動作に連動動作して他方の昇降脚２を同期的に昇降動作を行なわせる構成である（図３参照）。
【００１２】
そして、前記昇降補助手段５を拘束解除操作するための解除操作手段７，７は、それぞれ、第２脚杆１０，１０側に固設した頂部金具１０ｔ，１０ｔに、操作先端部を下方へ傾斜させるように付勢して変位可能に軸止めしている。
前記昇降補助手段５としては、ここではガススプリングを採用している。すなわち昇降補助手段５は、第１脚杆９内に固設したガス封入シリンダ１６を有し、このシリンダ１６にガス圧によって支持されると共に、シリンダ１６から緩衝的に進退可能に突出するピストンロッド１７を有する。このピストンロッド１７先端側を前記第２脚杆１０側に固設した頂部金具１０ｔに固定して、先端部を前記頂部金具１０ｔ上部側に突出させ、前記先端部からは、ピストンロッド１７を拘束／拘束解除するための操作軸１８を突出させている（図４参照）。
【００１３】
かかる昇降補助手段５の操作軸１８には、前記解除操作手段７と同軸的に頂部金具１０ｔに取り付けた拘束解除作動部材１９を近接させている。
すなわち、この拘束解除作動部材１９は、前記解除操作手段７の中央に形成した角孔７ａに位置させている（図５参照）。この場合、前記拘束解除作動部材１９は、断面略Ｌ型形状を有し、解除操作手段７の変位軸に軸止め箇所から前記解除操作手段７の角孔７ａ上方に突出させて線状部材１５を取り付けている。そして、前記拘束解除作動部材１９の軸止め箇所から横方向に延在する箇所の先端は、解除操作手段７の角孔７ａ裏面側において当接し、前記昇降補助手段５の操作軸１８の直上に近接させている（図６参照）。
【００１４】
一方、前記拘束解除作動部材１９を配置しない側の解除操作手段７と、前記拘束解除作動部材１９とは、前記昇降脚取付基部６における支軸１２に回動自在に保持したガイドプーリ２０，２０を介して掛け渡した線状部材１５によって連結している。なお、前記拘束解除作動部材１９を配置しない側の解除操作手段７においても、操作先端側を下方へ傾斜させるように昇降脚取付基部６に軸止めされている。
【００１５】
以上のようにオーバーベッドテーブル１は構成されるので、テーブル板４の両端寄りのテーブル板受具３の昇降脚取付基部６において、前記昇降補助手段５を拘束解除操作するための解除操作手段７，７のいずれかの解除操作手段７を操作することで、昇降補助手段５に近接させた拘束解除作動部材１９が作動し、前記昇降補助手段５は拘束解除され、自由に昇降脚２を昇降させて、テーブル板４を所望の位置にもたらし、解除操作手段７の操作を停止することで、再び昇降補助手段５を拘束させ、前記テーブル板４をその位置で保持することができる。
【００１６】
解除操作にあたり、先ず、昇降補助手段５を配置した昇降脚２側の解除操作手段７によって操作すると、昇降脚取付基部６に操作先端部を下方へ傾斜させるように付勢された解除操作手段７の操作先端部を以て持ち上げる。
すると、解除操作手段７中央における角孔７ａに配置した拘束解除作動部材１９の軸止め箇所から横方向に延在する箇所の先端が、解除操作手段７の角孔７ａ裏面側に下方から当接しているので、前記拘束解除作動部材１９は、解除操作手段７によって先端側が押し下げられ、解除操作手段７と共に、連動変位し、前記昇降補助手段５のピストンロッド１７先端部から突出する操作軸１８が押し込められ、ピストンロッド１７のガス封入シリンダ１６に対する拘束状態が解除され、ピストンロッド１７を緩衝的に進退移動させることができる。
なお、前記解除操作手段７によって拘束解除作動部材１９を変位させた際、解除操作手段７の角孔７ａ上方に突出している、線状部材１５との取付箇所も変位するが、線状部材１５は、若干弛むだけで、拘束解除作動部材１９を配置しない側の解除操作手段７は、常時、操作先端部を下方へ傾斜させるように付勢されているので、何ら連動することはない（図７参照）。
以上のようにして自由に昇降脚２を昇降させて、テーブル板４を所望の位置にもたらすことができる。
【００１７】
次に、逆に拘束解除作動部材１９を配置しない側の解除操作手段７を解除操作するべく操作先端部を付勢力に抗して持ち上げていくと、この解除操作手段７によってガイドプーリ２０，２０を介して掛け渡した線状部材１５が引き込まれ、これにより、前記拘束解除作動部材１９における、解除操作手段７の角孔７ａ上方に突出している、線状部材１５との取付箇所が連動変位する。この際、解除操作手段７中央における角孔７ａに配置した拘束解除作動部材１９は、解除操作手段７とは独立しており、軸止め箇所から横方向に延在する箇所の先端が、解除操作手段７の角孔７ａ裏面側に下方から当接しているだけであるので、拘束解除作動部材１９のみが連動し、直上の解除操作手段７は動くことはない。従って、操作力は軽く、容易に解除操作が可能である（図８参照）。
このようにして、前記昇降補助手段５が拘束解除され、自由に昇降脚２を昇降させて、テーブル板４を所望の位置にもたらすことができる。
【００１８】
以上のように、双方の昇降補助手段５を拘束解除操作するための解除操作手段７，７は、操作した方の解除操作手段７のみが変位するので、操作力は軽く、解除操作することで、操作していない方の解除操作手段７は連動することはなく、操作していない方の解除操作手段７が動くことで、思わぬアクシデント、例えば点滴用チューブの挟み込みや、その他のものや手を挟み込むような事は起こらない。また、操作していない方の解除操作手段７がその他の器物、障害物に当たって動かすことができない状態にあっても、昇降補助手段５の拘束解除操作は可能である。
【００１９】
【発明の効果】
本発明によれば、いずれかの解除操作手段を操作することで、昇降補助手段に近接させた拘束解除作動部材が作動し、前記昇降補助手段は拘束解除され、自由に昇降脚を昇降させて、テーブル板を所望の位置にもたらし、解除操作手段の操作を停止することで、再び昇降補助手段を拘束させ、前記テーブル板をその位置で保持することができる。
その際、双方の解除操作手段自体は互いに連動することはないので、操作力は軽減化し、物や手の挟み込みなどの不都合をなくすことができる。
【００２０】
【図面の簡単な説明】
【図１】本発明にかかる昇降脚の昇降動作の拘束解除操作機構を採用したオーバーベッドテーブルの、一つの実施形態を示す、外観斜視図である。
【図２】図１に示す昇降脚の昇降動作の拘束解除操作機構および昇降同期手段を示した、模式的機構説明図である。
【図３】図１に示すオーバーベッドテーブルの側面説明図である。
【図４】図１に示すオーバーベッドテーブルの昇降脚の要部破断面図である。
【図５】図１に示す昇降脚の昇降動作の拘束解除操作機構および昇降同期手段のテーブル板受具における配置構成を示した一部省略的平面説明図である。
【図６】昇降補助手段に近接配置した、拘束解除作動部材と解除操作手段との配置関係を示した拡大斜視説明図である。
【図７】昇降補助手段側に配置した解除操作手段を操作したときの作用説明図である。
【図８】昇降補助手段を配置していない方の解除操作手段を操作したときの作用説明図である。
【符号の説明】
１                          オーバーベッドテーブル
２                          昇降脚
３                          テーブル板受具
４                          テーブル板
５                          昇降補助手段
６                          昇降脚取付基部
７                          解除操作手段
７ａ                        角孔
８                          基部フレーム
９                          第１脚杆
１０                        第２脚杆
１０ｔ                      頂部金具
１１                        傾斜長穴
１２                        支軸
１３                        上部プーリ
１４                        下部プーリ
１５                        線状部材
１６                        シリンダ
１７                        ピストンロッド
１８                        操作軸
１９                        拘束解除作動部材
２０                        ガイドプーリ
Ｃ                          キャスタ
【図１】
0003640309.tif 000002
【図２】
0003640309.tif 000003
【図３】
0003640309.tif 000004
【図４】
0003640309.tif 000005
【図５】
0003640309.tif 000006
【図６】
0003640309.tif 000007
【図７】
0003640309.tif 000008
【図８】
0003640309.tif 000009